(57)【特許請求の範囲】
【請求項１】
便器を洗浄する洗浄水を貯水する洗浄水タンク装置であって、
水を吐水する手洗い吐水部と、
前記手洗い吐水部から吐水された水を受け、受けた水を排出させる排水口が開口した手洗いボウル部と、
前記手洗いボウル部の下方に設けられたアウタータンクと、
前記アウタータンク内に設けられたインナータンクと、
前記排水口から排出された水を受ける底面と、前記底面の周縁から上方に向かって延びるように形成された内側壁面と、を有し、前記インナータンクの上部に設けられる水受け部と、を備え、
前記水受け部の前記内側壁面は、前記排水口から前記水受け部に流れ込んだ水が、前記排水口からの落下水に向かって返るように、前記水受け部の外側に向けて膨出する曲面形状に形成されている
洗浄水タンク装置。
【請求項２】
前記水受け部の前記内側壁面の上部には、内側へ突出する突部が設けられている
請求項１に記載の洗浄水タンク装置。
【請求項３】
前記水受け部は、受けた水を前記インナータンクへ排出する流出口を有し、
前記水受け部の前記底面は、前記流出口に向かって下方に傾斜している
請求項１又は請求項２に記載の洗浄水タンク装置。
【請求項４】
請求項１乃至請求項３のいずれか１項に記載の前記洗浄水タンク装置を備えた水洗大便器。
【発明の詳細な説明】
【技術分野】
【０００１】
本発明は、手洗い用の吐水部を備えた洗浄水タンク装置に係り、特に、便器を洗浄する洗浄水を貯水する洗浄水タンク装置、及び、それを備えた水洗大便器に関する。
【背景技術】
【０００２】
従来から、便器を洗浄する洗浄水タンク装置として、陶器製のアウタータンク内に合成樹脂製のインナータンクが配置され、このインナータンクに蓋が装着された洗浄水タンク装置が知られている（例えば、特許文献１参照）。
特許文献１における洗浄水タンク装置のインナータンクの内部には、フロート弁装置等の構成部品が配置されている。この洗浄水タンク装置において、アウタータンクの上面に手洗鉢（手洗いボウル部）が載設されており、この手洗鉢に手洗吐水管（手洗い吐水部）が立設している。また、手洗鉢の底部には排水口が開口されており、この排水口と対面する位置に、インナータンクの蓋と一体的に形成された水受け桶部（水受け部）が設けられている。この水受け桶部には、インナータンク内の前面壁に対峙する流出口が設けられている。
【０００３】
このような従来の洗浄水タンク装置において、蓋と一体的に設けられた水受け桶部によって手洗鉢からの落下水を受けてインナータンクの前面壁へ流出させるため、手洗鉢からの落下水がフロート弁装置等に飛散することを抑制することができる。
【先行技術文献】
【特許文献】
【０００４】
【特許文献１】特開平１１−３２４０５８号公報
【発明の概要】
【発明が解決しようとする課題】
【０００５】
しかしながら、上述した従来の洗浄水タンク装置において、手洗鉢の排水口から水受け桶部までの間は密閉された流路ではない、つまり、手洗鉢の排水口から水受け桶部にかけて、インナータンクの外部と連通する隙間が形成されている。そのため、手洗鉢からの落下水が水受け桶部の底面に当たって水が飛散し、この隙間からインナータンクの外部に水が漏れてしまうといった懸念がある。また、手洗鉢の排水口から水受け桶部へ水が排水され始めて所定時間経過後、水受け桶部に水が溜まり、水受け桶部に溜まった水の水面に手洗鉢からの落下水が当たって水が飛散し、隙間からインナータンクの外部に水が漏れてしまうといった懸念もある。
このように、インナータンクの外部に水が漏れてしまうと、アウタータンクとインナータンクの間の隙間から洗浄水タンク装置外に漏水してしまったり、インナータンクの近辺に電子機器が配置されるような場合（例えば、洗浄水タンク装置と温水洗浄便座装置等を一体的に構成する場合）において、漏電や機器の故障となってしまったりする懸念がある。
【０００６】
本発明は、上述した課題を解決するためになされたものであり、手洗いボウル部から水受け部への落下水がインナータンクの外部に漏水してしまうことを抑制することができる洗浄水タンク装置及びそれを備えた水洗大便器を提供することを目的とする。
【課題を解決するための手段】
【０００７】
上記目的を達成するために、本発明の一態様に係る洗浄水タンク装置によれば、便器を洗浄する洗浄水を貯水する洗浄水タンク装置であって、水を吐水する手洗い吐水部と、手洗い吐水部から吐水された水を受け、受けた水を排出させる排水口が開口した手洗いボウル部と、手洗いボウル部の下方に設けられたアウタータンクと、アウタータンク内に設けられたインナータンクと、排水口から排出された水を受ける底面と、底面の周縁から上方に向かって延びるように形成された内側壁面と、を有し、インナータンクの上部に設けられる水受け部と、を備え、水受け部の内側壁面は、排水口から水受け部に流れ込んだ水が、排水口からの落下水に向かって返るように、水受け部の外側に向けて膨出する曲面形状に形成されている。
【０００８】
この構成によれば、水受け部の内側壁面が、水受け部の外側に向けて膨出する曲面形状に形成されているので、手洗いボウル部の排水口から水受け部へ流れ込んだ水は、水受け部の底面から内側壁面に沿って水受け部の内側へ返るように流れる。これにより、手洗いボウル部の排水口から水受け部へ落下した水の飛散が抑制される。そのため、手洗いボウル部から水受け部への落下水がインナータンクの外部に漏水してしまうことを抑制することができる。
また、水受け部の内側壁面が、水受け部の外側に向けて膨出する曲面形状に形成されているので、水受け部の底面から内側壁面に沿って水受け部の内側へ返ってきた水が、手洗いボウル部から水受け部へ順次流れ込んできた水に覆い被さる。これにより、手洗いボウル部の排水口から水受け部へ落下した水が、水受け部に溜まった水の水面に当たることによって発生する水の飛散が抑制される。そのため、手洗いボウル部から水受け部への落下水がインナータンクの外部に漏水してしまうことを抑制することができる。
【０００９】
また、本発明の一態様に係る洗浄水タンク装置において、好ましくは、水受け部の内側壁面の上部には、内側へ突出する突部が設けられている。
【００１０】
この構成によれば、水受け部の内側壁面の上部には、内側へ突出する突部が設けられているので、水受け部の底面から内側壁面に沿って水受け部の内側に返る水は、内側壁面から突部に沿って流れ、突部よりも上方に向かって流れることが抑制される。これにより、水受け部の内側へ返ってきた水が水受け部の上方に向かって流れることが抑制されるとともに、手洗いボウル部から水受け部へ順次流れ込んできた水に水受け部の内側へ返ってきた水をより確実に覆い被せることができる。そのため、手洗いボウル部から水受け部への落下水がインナータンクの外部に漏水してしまうことをより確実に抑制することができる。
【００１１】
また、本発明の一態様に係る洗浄水タンク装置において、好ましくは、水受け部は、受けた水をインナータンクへ排出する流出口を有し、水受け部の底面は、流出口に向かって下方に傾斜している。
【００１２】
この構成によれば、水受け部の底面は流出口に向かって下方に傾斜しているので、水受け部内の残水をインナータンクへ排出することができる。また、手洗いボウル部の排水口からの落下水を水受け部の底面の傾斜面で受けることができるので、平面で水を受ける場合に比べて、上方への水跳ねを抑制することができる。そのため、水受け部内の水はけ性能を向上させつつ、手洗いボウル部から水受け部への落下水がインナータンクの外部に漏水してしまうことをより確実に抑制することができる。
【００１３】
また、本発明の一態様は、洗浄水タンク装置を備えた水洗大便器である。
【００１４】
この構成によれば、洗浄水タンク装置を備えた水洗大便器において、手洗いボウル部から水受け部への落下水がインナータンクの外部に漏水してしまうことを抑制することができる。
【発明の効果】
【００１５】
本発明によれば、洗浄水タンク装置及びそれを備えた水洗大便器において、手洗いボウル部から水受け部への落下水がインナータンクの外部に漏水してしまうことを抑制することができる。
【図面の簡単な説明】
【００１６】
【図１】本発明の一実施形態に係る洗浄水タンク装置の斜視図である。
【図２】本発明の一実施形態に係る洗浄水タンク装置の上面図である。
【図３】図２のＩＩＩ−ＩＩＩ線に沿って見た断面図である。
【図４】本発明の一実施形態に係るインナータンクの斜視図である。
【図５】本発明の一実施形態に係るインナータンクの分解斜視図である。
【図６】本発明の一実施形態に係る水受け部の斜視図である。
【図７】本発明の一実施形態に係る水受け部の背面図である。
【図８】図７のＶＩＩＩ−ＶＩＩＩ線に沿って見た断面図である。
【図９】本発明の一実施形態に係る水受け部における水の流れを模式的に表した説明図である。
【図１０】図９のＸ−Ｘ線に沿って見た断面図である。
【発明を実施するための形態】
【００１７】
以下、本発明の実施の形態について添付図面を参照しながら説明する。なお、各図面中、同様の構成要素には同一の符号を付して詳細な説明は適宜省略する。
【００１８】
＜洗浄水タンク装置の構成＞
まず、図１〜図５を参照して、本発明の一実施形態に係る洗浄水タンク装置について説明する。なお、以下においては、図中に示す方向を用いて説明する。
【００１９】
図１は、本発明の一実施形態に係る洗浄水タンク装置の斜視図である。図２は、本発明の一実施形態に係る洗浄水タンク装置の上面図である。図３は、図２のＩＩＩ−ＩＩＩ線に沿って見た断面図である。図４は、本発明の一実施形態に係るインナータンクの斜視図である。図５は、本発明の一実施形態に係るインナータンクの分解斜視図である。
【００２０】
図１及び図２に示すように、便器を洗浄する洗浄水を貯水する洗浄水タンク装置１は、図示しない水洗大便器の上方に設けられ、水を吐水する手洗い吐水部２と、手洗い吐水部２から吐水された水を受ける手洗いボウル部４と、手洗いボウル部４の下方に設けられるアウタータンク６とを備えている。さらに、洗浄水タンク装置１は、アウタータンク６の内部に設けられるインナータンク８と、インナータンク８の上部に固定される水受け部２０とを備えている（図３参照）。
【００２１】
手洗い吐水部２は、ボウル形状の手洗いボウル部４の上面の後縁部の左右中央部に設けられている。また、手洗いボウル部４の上面には、上方から下方に向かって凹んでいるボウル面４ａが形成されている。上面視において、このボウル面４ａの中央には、排水口４ｂが開口されている。この排水口４ｂは手洗いボウル部４から下方に筒状に延びるように形成されており、排水口４ｂの下部が後述する蓋１２の筒部１２ｂに囲まれるようにインナータンク８が配置されている。つまり、排水口４ｂの下端部分の高さ位置よりも、後述する蓋１２の筒部１２ｂの上端部分の高さ位置の方が高く、排水口４ｂの下側の一部が蓋１２の筒部１２ｂ内に位置している。手洗い吐水部２から吐水されてボウル面４ａで受けられた水が、この排水口４ｂから蓋１２を介して後述するインナータンク８の内部へ排出される。
【００２２】
図３〜図５に示すように、手洗いボウル部４及びアウタータンク６は陶器で形成されており、このアウタータンク６の内部であって手洗いボウル部４の下方には、インナータンク８が設けられている。
【００２３】
インナータンク８は、タンク本体１０と、蓋１２と、排水装置１４と、操作装置１６と、を有している。インナータンク８は全体として横長の略直方体形状を有しており、インナータンク８の内部には、便器を洗浄する洗浄水が貯水される。貯水された洗浄水は、操作装置１６等が操作されることによって、後述する排出口１８から図示しない水洗大便器へ供給される。
【００２４】
タンク本体１０は、全体として左右方向に長い略直方体形状を有しており、箱状に構成されている。また、タンク本体１０は樹脂材料によって形成され、タンク本体１０の内部には、洗浄水が貯水される。タンク本体１０の上部には、上方に向かって開口する開口部１０ａが形成されており、この開口部１０ａを閉塞してタンク本体１０内を隠蔽するように蓋１２が設けられている。また、タンク本体１０の底面には、タンク本体１０内に貯水された水を便器へ供給するための排出口１８が開口している。
【００２５】
蓋１２は、タンク本体１０の開口部１０ａに対応した外形を有する基部である板状の平板部１２ａと、平板部１２ａから上方に向かって伸びるように形成される筒部１２ｂとを有している。平板部１２ａの周縁には、タンク本体１０の上部に固定するための係合片等の固定部が設けられている。筒部１２ｂは、手洗いボウル部４の排水口４ｂの鉛直下方に配置されている。また、本実施形態に係る筒部１２ｂの上部は上面視において略楕円状に形成されその外形に沿って略楕円状に上側を開口させている。筒部１２ｂ内には、筒部１２ｂの上部と下部の間の楕円の内壁から水平方向に延びる台部１２ｄと、この台部１２ｄの直線状の前端から下方に向かって延びる垂直面１２ｅとが形成されている。このため、筒部１２ｂの下部は上面視において略楕円形状の後方端部がカットされたような形状に形成されている。さらに、筒部１２ｂの内部には水受け部２０が嵌合されている。この水受け部２０は筒部１２ｂに着脱自在に取り付けられ、水受け部２０の外形は、筒部１２ｂの内部に嵌合可能なように、上面視において略楕円形状の後方端部がカットされたような形状に形成されている。
【００２６】
また、筒部１２ｂの左後方及び右後方には、筒部１２ｂから左方及び右方に向かって突出して上下方向に延び筒部１２ｂの内部と連通した空間を形成する間隙形成部１２ｃが形成されている。この間隙形成部１２ｃの下端は下方に向かって開口しており、蓋１２が開口部１０ａを閉塞した状態においてタンク本体１０の内部と間隙形成部１２ｃの内部で上下に延びる内部空間とが連通している。また、水受け部２０が筒部１２ｂ内に固定された状態において、筒部１２ｂの上端の開口と水受け部２０の内部と間隙形成部１２ｃの内部空間とが連通している。つまり、排水口４ｂから排出された水は、筒部１２ｂの上端の開口から水受け部２０に流れ、水受け部２０から間隙形成部１２ｃの内部空間を通ってタンク本体１０の内部へ流れる。
【００２７】
排水装置１４は、タンク本体１０の内部であって、タンク本体１０の排出口１８の上方に設けられている。この排水装置１４によって排出口１８を開閉することで、タンク本体１０内に貯水された洗浄水を水洗大便器へ供給したり、タンク本体１０内に洗浄水を貯水したりする。また、排水装置１４は、オーバーフロー管１４ａと、弁体１４ｂと、玉鎖１４ｃと、ガイド部１４ｄとを有している。
【００２８】
オーバーフロー管１４ａは、上下方向に延びる円筒部材である。また、オーバーフロー管１４ａの上端及び下端がそれぞれ上方及び下方に向かって開口しており、オーバーフロー管１４ａの内部と排出口１８とが連通している。これにより、タンク本体１０内の洗浄水が所定の満水時の水位よりも高くなると、オーバーフロー管１４ａの上端の開口から洗浄水が流入する。そして、オーバーフロー管１４ａ内を通って排出口１８から水洗大便器へ排水される。
また、オーバーフロー管１４ａの上端の開口は、上面視において、その開口範囲に、間隙形成部１２ｃの下端の開口範囲を含まない位置に設けられている。つまり、オーバーフロー管１４ａの上端の開口は、上面視において、間隙形成部１２ｃの下端の開口に対して開口範囲をオーバーラップさせない位置に設けられている。
【００２９】
オーバーフロー管１４ａの下端部の外周には、円環状の弁体１４ｂが連接するように設けられている。弁体１４ｂはいわゆるシール材であり、この弁体１４ｂによって排出口１８が閉止される。
【００３０】
玉鎖１４ｃは、一端（下端）がオーバーフロー管１４ａの下端中央部分に固定されている。また、玉鎖１４ｃは、オーバーフロー管１４ａの下端中央部分に対する固定部からオーバーフロー管１４ａ内を通って上方に延び、玉鎖１４ｃの他端（上端）は、後述する操作装置１６に固定されている。つまり、玉鎖１４ｃを上下方向に動作させると、玉鎖１４ｃの移動に応じて、オーバーフロー管１４ａ及びオーバーフロー管１４ａに連接する弁体１４ｂが一体的に上下方向に移動する。
【００３１】
ガイド部１４ｄは、オーバーフロー管１４ａの外周を覆うように、タンク本体１０の底面から立設するように設けられており、オーバーフロー管１４ａを上下方向に摺動可能に保持している。
【００３２】
操作装置１６は、タンク本体１０の上部において、タンク本体１０の外部から内部に掛けて横方向に挿通するように設けられている。また、タンク本体１０の外部に位置する操作装置１６の一端には、ハンドル１６ａが設けられており、タンク本体１０の内部に位置する操作装置１６の他端には、玉鎖１４ｃの他端が固定されている。このハンドル１６ａを操作することにより、操作装置１６が駆動して玉鎖１４ｃ、オーバーフロー管１４ａ、弁体１４ｂが上下方向に移動する。
【００３３】
さらに、操作装置１６の内部には、モータ（図示せず）と、洗浄水タンク装置１の外部に設けられたコントローラ（図示せず）からの指令信号を受信する受信部（図示せず）とが設けられている。コントローラからの指令信号を受信すると、その指令信号に基づいてモータが駆動する。このモータの駆動により、玉鎖１４ｃ、オーバーフロー管１４ａ、弁体１４ｂが上下方向に移動する。
なお、ここでの「コントローラからの指令信号」とは、例えば水洗大便器等に設けられた人体（例えば使用者）を検知する人体検知センサ（図示せず）からの信号、又は、水洗大便器の洗浄操作を指令する洗浄ボタン（図示せず）を使用者が操作した信号等である。
【００３４】
＜水受け部の構成＞
つぎに、図６〜図８を参照して、本発明の一実施形態に係る水受け部の構成について説明する。
【００３５】
図６は、本発明の一実施形態に係る水受け部の斜視図である。図７は、本発明の一実施形態に係る水受け部の背面図である。図８は、図７のＶＩＩＩ−ＶＩＩＩ線に沿って見た断面図である。
【００３６】
図６〜図８に示すように、手洗いボウル部４の排水口４ｂから排出された水を受ける水受け部２０は、全体として略箱状の形状を有し、上面視において前後方向に長く形成されている。水受け部２０は、左右対称に構成されている。
【００３７】
また、水受け部２０は、底部２２と、底部２２の周縁から上方に向かって延びるように連続して形成される周壁部２４とを有している。さらに、水受け部２０は、上方に向かって開口する流入口２６と、後方に向かって開口する流出口２８と、を有している。つまり、水受け部２０においては、底部２２と周壁部２４により、上側及び後側を開口させた空間が形成されている。
【００３８】
底部２２の上側には、手洗いボウル部４の排水口４ｂから排出された水を受ける底面２２ａが形成されている。この底面２２ａは、流出口２８に向かって（前方から後方に向かって）下方に傾斜している。そして、底面２２ａの下流端部（後方端部）は、流出口２８へ接続している。つまり、底面２２ａの後端部は、流出口２８の開口端部の下部を形成する。
【００３９】
水受け部２０の前方側、左方側、右方側には、底部２２の周縁から上方に向かって延びるように周壁部２４が形成されており、水受け部２０の後方側には流出口２８が開口している。言い換えると、水受け部２０の後方側には、周壁部２４が形成されていない。
この周壁部２４の水受け部２０の内側の面である内側壁面２４ａは、底面２２ａの周縁から上方に向かって延びるように底面２２ａに連続して形成されている。また、内側壁面２４ａは、水受け部２０の内側から外側に向けて膨出する曲面形状に形成されている。これにより、内側壁面２４ａの上部は、水受け部２０の内側に向かってオーバーハングしている。水受け部２０の内側から外側に向けて膨出する曲面形状は、内側壁面２４ａの左右の後方端部から前方側にかけて内側壁面２４ａの全面にわたって形成されている。したがって、周壁部２４においては、周方向のいずれの部位においても、内側壁面２４ａの縦断面形状として、外側に凸な弧状の形状が表れる。また、底面２２ａと周壁部２４との接続部において底面２２ａと周壁部２４とが成す角度は９０°より大きく１８０°より小さい。
なお、水受け部２０の内側とは、水受け部２０の底部２２及び周壁部２４によって囲まれる空間側である。
【００４０】
流入口２６は、水受け部２０の上面に設けられた開口であり、手洗いボウル部４の排水口４ｂから排出された水を水受け部２０の内側に流入させる。この流入口２６は、底面２２ａと対向する位置に設けられている。また、流入口２６は、手洗いボウル部４の排水口４ｂの開口よりも大きく形成されており、上面視において、流入口２６の開口内に排水口４ｂの開口が収まるように水受け部２０が配置されている。
【００４１】
流出口２８は、水受け部２０の後方側に設けられた開口であり、水受け部２０で受けた水、つまり、流入口２６から水受け部２０へ流入した水をインナータンク８のタンク本体１０内へ排出する。
【００４２】
また、内側壁面２４ａの上部には、内側壁面２４ａから水受け部２０の内側へ突出する突部３０が設けられている。詳しくは、突部３０は、内側壁面２４ａがオーバーハングしている部分よりも上方であって、流入口２６よりも下方に形成されている。言い換えると、突部３０は、上下方向において、内側壁面２４ａがオーバーハングしている部分と流入口２６との間に形成されている。また、この突部３０は、内側壁面２４ａから水平状に突出しており、水受け部２０の内側の全周に設けられている。従って、突部３０と周壁部２４との接続部において突部３０と周壁部２４とが成す角度は９０°より大きく１８０°より小さい。
【００４３】
また、水受け部２０の後方には、底部２２から後方側に向かって延びるように連続して形成される舌部３２が設けられている。この舌部３２は流出口２８から後方側に延びるように形成されており、舌部３２の後方端部の面３２ｃは、水受け部２０が蓋１２に固定された状態において、筒部１２ｂの後方側の内側面である垂直面１２ｅと接している。このため、水受け部２０が蓋１２に固定された状態において、流出口２８と垂直面１２ｅとの間には、隙間が形成される（図１０参照）。また、この隙間の前後方向の幅ｔは、間隙形成部１２ｃによって形成される空間の前後方向の幅Ｔよりも小さく形成されている。
【００４４】
舌部３２の上面には、流出口２８から流出した水を下流側へ導く導水面３２ａが形成されている。この導水面３２ａの上流側端部（前方側端部）は、流出口２８に接続されている。つまり、導水面３２ａは、流出口２８を介して底面２２ａと連続して形成されている。また、導水面３２ａは、左右方向の中央から左方側と右方側に分割されており、右方側の導水面３２ａは右斜め後方に向かって下方に傾斜し、左方側の導水面３２ａは左斜め後方に向かって下方に傾斜している。言い換えると、舌部３２の導水面３２ａは、左方側又は右方側の間隙形成部１２ｃの内部空間に向かって下方に傾斜している。右側の導水面３２ａと左側の導水面３２ａとにより、舌部３２の左右中央位置に、前方から後方にかけて下るように傾斜した稜線が形成されている。
【００４５】
舌部３２の右後方端部及び左後方端部には、下方に向かって延びる係合部３２ｂが形成されている。この係合部３２ｂが筒部１２ｂ内の下部前方に設けられた被係合部（図示せず）に係合し、筒部１２ｂ内の下部に設けられた支持部（図示せず）によって水受け部２０が下方から支持されることで、水受け部２０が蓋１２に固定される。なお、水受け部２０を蓋１２に取り付ける際は、水受け部２０を上方から下方に向かって蓋１２の筒部１２ｂの内部へ挿入して固定する。
【００４６】
以上のように、水受け部２０は、手洗いボウル部４の排水口４ｂから排出された水を受ける底面２２ａを有し、底面２２ａの周縁から上方に向かって延びるように形成された内側壁面２４ａを有し、受けた水をインナータンク８に排出する流出口２８を有する。
【００４７】
＜動作及び作用＞
つぎに、図９及び図１０を参照して、本発明の一実施形態に係る洗浄水タンク装置の動作及び作用について説明する。
【００４８】
図９は、本発明の一実施形態に係る水受け部における水の流れを模式的に表した説明図である。図１０は、図９のＸ−Ｘ線に沿って見た断面図である。
【００４９】
まず、図示しない水洗大便器の使用者によるハンドル１６ａの操作、又は、洗浄水タンク装置１の外部に設けられたコントローラ（図示せず）からの指令信号を操作装置１６が受信することにより、操作装置１６が駆動する。操作装置１６が駆動すると玉鎖１４ｃが引き上げられる。そして、この玉鎖１４ｃの引き上げに伴い、オーバーフロー管１４ａ及び弁体１４ｂが上昇して排出口１８が開く。排出口１８が開かれると、インナータンク８のタンク本体１０内に貯水された洗浄水が、排出口１８から排出されて水洗大便器に供給される。
インナータンク８のタンク本体１０内に貯水されていた洗浄水の排水が終了し、弁体１４ｂによって排出口１８が閉じられると、給水管（図示せず）からインナータンク８のタンク本体１０内へ所定量の洗浄水が給水される。
【００５０】
ここで、弁体１４ｂが引き上げられて排出口１８が開くと同時、もしくは、排出口１８が開いてから所定時間経過後、図示しない給水源から手洗い吐水部２に洗浄水が供給され、手洗い吐水部２から手洗いボウル部４のボウル面４ａに向かって手洗い用の洗浄水が吐水される。ボウル面４ａに吐水された洗浄水は、排水口４ｂからインナータンク８内へ排出される。
なお、ここでの給水源は、インナータンク８のタンク本体１０内へ所定量の洗浄水を給水する給水管（図示せず）であってもよいし、別の管を用いてもよい。
【００５１】
図９及び図１０に示すように、排水口４ｂから排出された水は、蓋１２の筒部１２ｂの内部を通って、水受け部２０の流入口２６から水受け部２０の内部へ流入する。そして、排水口４ｂからの排水の初期に水受け部２０の内部へ流入した水は、水受け部２０の底面２２ａに衝突する。
このとき、水受け部２０の底面２２ａは流出口２８（後方側）に向かって下方に傾斜しているので、手洗いボウル部４の排水口４ｂからの落下水を水受け部２０の底面２２ａの傾斜面で受けることができる。これにより、底面２２ａからの水跳ねの方向を後側寄りの方向とすることができ、手洗いボウル部４の排水口４ｂからの落下水を水平面で受ける場合に比べて、上方への水跳ねを抑制することができる。そのため、手洗いボウル部４から水受け部２０への落下水が流入口２６からインナータンク８の外部に漏水してしまうことを確実に抑制することができる。
【００５２】
水受け部２０の底面２２ａに衝突した水は、底面２２ａに沿って四散する。底面２２ａに沿って後方側に向かって流れた水は、そのまま流出口２８に向かって流れて流出口２８から水受け部２０の外部へ流出する。後方側以外に流れた水は、衝突した水の勢いによって、底面２２ａから内側壁面２４ａに沿って上方に流れる。ここで、内側壁面２４ａは、水受け部２０の内側から外側に向けて膨出する曲面形状に形成されているので、内側壁面２４ａに沿って上方に流れる水は、下方から上方へ外側に凸の弧を描くように水受け部２０の内側へ跳ね返る。そして、水受け部２０の内側へ跳ね返った水は、排水口４ｂから順次流れ込んできた水に覆い被さるように流れる。内側壁面２４ａから内側へ返る水は、排水口４ｂから水受け部２０内に流れ込む水に巻き込まれる態様となる。
また、内側壁面２４ａの上部には、内側壁面２４ａから水受け部２０の内側へ突出する突部３０が設けられている。これにより、内側壁面２４ａに沿って流れる水が水受け部２０の内側に向かって跳ね返るとき、水の鉛直上方向成分の勢いが弱まり、水平方向成分の勢いが強まる。つまり、水受け部２０の底面２２ａから内側壁面２４ａに沿って水受け部２０の内側へ返る水は、内側壁面２４ａから突部３０に沿って流れ、突部３０よりも上方に流れることが抑制される。これにより、水受け部２０の内側へ返ってきた水が水受け部２０の上方に向かって流れることが抑制されるとともに、手洗いボウル部４から水受け部２０へ順次流れ込んできた水に水受け部２０の内側へ返ってきた水をより確実に覆い被せることができる。そのため、手洗いボウル部４から水受け部２０への落下水が流入口２６からインナータンク８の外部に漏水してしまうことをより確実に抑制することができる。なお、図９においては、水受け部２０への落下水及び水受け部２０内における水の流れを破線矢印で示している。
【００５３】
このように、水受け部２０の内側壁面２４ａが、水受け部２０の外側に向けて膨出する曲面形状に形成されているので、手洗いボウル部４の排水口４ｂから水受け部２０へ流れ込んだ水は、水受け部２０の底面２２ａから内側壁面２４ａに沿って水受け部２０の内側へ返るように流れる。これにより、手洗いボウル部４の排水口４ｂから水受け部２０へ落下した水の飛散が抑制される。そのため、手洗いボウル部４から水受け部２０への落下水がインナータンク８の外部に漏水してしまうことを抑制することができる。
【００５４】
また、水受け部２０の内側壁面２４ａが、水受け部２０の外側に向けて膨出する曲面形状に形成されているので、水受け部２０の底面２２ａから内側壁面２４ａに沿って水受け部２０の内側へ返ってきた水が、手洗いボウル部４から水受け部２０へ順次流れ込んできた水に覆い被さる。これにより、手洗いボウル部４の排水口４ｂから水受け部２０へ落下した水が、水受け部２０に溜まった水の水面に当たることによって発生する水の飛散が抑制される。そのため、手洗いボウル部４から水受け部２０への落下水がインナータンク８の外部に漏水してしまうことを抑制することができる。
【００５５】
さらに、水受け部２０の内側から外側に向けて膨出する内側壁面２４ａの曲面形状は、内側壁面２４ａの全面、つまり、流出口２８が設けられている後面部分以外の内側壁面２４ａの全周にわたって形成されている。これにより、排水口４ｂから流下してきた水が、底面２２ａのどの位置に落下した場合でも、水受け部２０の底面２２ａから内側壁面２４ａに沿って水受け部２０の内側へ返るように流れる。そのため、手洗いボウル部４の排水口４ｂから水受け部２０へ落下した水の飛散をより抑制することができる。
【００５６】
そして、水受け部２０の内側へ跳ね返った水は、流出口２８に向かって流れて、水受け部２０の流出口２８から流出する。
ここで、水受け部２０の底面２２ａは流出口２８に向かって下方に傾斜しているので、水受け部２０内の残水をインナータンク８へ排出することができる。そのため、水受け部２０内の水はけ性能を向上させることができる。
【００５７】
水受け部２０の流出口２８から流出した水は、筒部１２ｂの垂直面１２ｅに衝突して左右方向に分かれる。左右方向に分かれた水は、それぞれ右方側又は左方側の導水面３２ａに導かれて、間隙形成部１２ｃによって形成される空間に向かって流れる（図１０、破線矢印参照）。そして、間隙形成部１２ｃによって形成される空間に流れた水は、そのまま下方へ流下し、間隙形成部１２ｃの下端の開口からタンク本体１０内へ流れる。このとき、オーバーフロー管１４ａの上端の開口は、上面視において、間隙形成部１２ｃの下端の開口と重複しない位置に設けられているので、間隙形成部１２ｃの下端の開口から流下した水が排出口１８に連通するオーバーフロー管１４ａ内へ流入することが抑制される。そのため、手洗い用の吐水をより確実にタンク本体１０内に貯水することができ、無駄水を流してしまうことを抑制することができる。
そして、手洗い吐水部２から手洗い用の洗浄水が吐水されてから所定時間が経過すると、手洗い吐水部２からの吐水が終了する。
【００５８】
本発明の一実施形態に係る洗浄水タンク装置１によれば、洗浄水タンク装置１を備えた水洗大便器において、手洗いボウル部４から水受け部２０への落下水がインナータンク８の外部に漏水してしまうことを抑制することができる。
【００５９】
＜変形例＞
以上、本発明の実施形態について説明したが、本発明は上述した実施形態に限定されるものではない。
【００６０】
例えば、手洗いボウル部４及びアウタータンク６は、陶器で形成される構成を説明したが、樹脂材料等で形成されていてもよい。また、インナータンク８のタンク本体１０は、樹脂材料によって形成される構成を説明したが、内部に洗浄水を貯水する機能を有していればよく、その他の材料によって形成されていてもよい。
【００６１】
また、水受け部２０は、蓋１２に設けられる構成を説明したが、蓋１２以外の部分、例えばインナータンク８のタンク本体１０等に固定されていてもよい。その場合、蓋１２は必ずしも設けられなくてもよい。
【００６２】
また、水受け部２０は、蓋１２と着脱自在（別体）である構成を説明したが、蓋１２と一体的に形成されていてもよい。
【００６３】
また、水受け部２０の内側から外側に向けて膨出する内側壁面２４ａの曲面形状は、内側壁面２４ａの全面にわたって形成されていなくてもよい。例えば、排水口４ｂからの落下水が底面２２ａに衝突する位置から近い内側壁面２４ａのみに形成されていてもよい。
【００６４】
また、突部３０は水受け部２０の内側の全周に設けられていなくてもよい。例えば、水受け部２０の内側から外側に向けて膨出する曲面形状が形成されている内側壁面２４ａの上部のみに形成されていてもよい。
【００６５】
前述した各実施の形態が備える各要素は、技術的に可能な限りにおいて組み合わせることができ、これらを組み合わせたものも本発明の特徴を含む限り本発明の範囲に包含される。
【符号の説明】
【００６６】
１    洗浄水タンク装置
２    手洗い吐水部
４    手洗いボウル部
４ａ  ボウル面
４ｂ  排水口
６    アウタータンク
８    インナータンク
１０    タンク本体
１０ａ  開口部
１２    蓋
１２ａ  平板部
１２ｂ  筒部
１２ｃ  間隙形成部
１２ｄ  台部
１２ｅ  垂直面
１４    排水装置
１４ａ  オーバーフロー管
１４ｂ  弁体
１４ｃ  玉鎖
１４ｄ  ガイド部
１６    操作装置
１６ａ  ハンドル
１８    排出口
２０    水受け部
２２    底部
２２ａ  底面
２４    周壁部
２４ａ  内側壁面
２６    流入口
２８    流出口
３０    突部
３２    舌部
３２ａ  導水面
３２ｂ  係合部
Ｔ、ｔ  幅
【図１】
0006727536.tif 000002
【図２】
0006727536.tif 000003
【図３】
0006727536.tif 000004
【図４】
0006727536.tif 000005
【図５】
0006727536.tif 000006
【図６】
0006727536.tif 000007
【図７】
0006727536.tif 000008
【図８】
0006727536.tif 000009
【図９】
0006727536.tif 000010
【図１０】
0006727536.tif 000011